(57)【要約】      （修正有）【課題】公園・街路・庭園等において、植え込み内や景石と景石間等の極めて狭い箇所の、雑草や芝生等を刈り取る際に、植木等を傷つける可能性や、刈り残しを少なくすることが可能な刈払機用回転刃を提供する。【解決手段】刈払機のギヤケースＭ部分に取り付けられて動力により回転させられる保持部材と、保持部材に設けられた２カ所で１８０度方向にあるナイロンコード通し孔に、折曲させたナイロンコード状切断部材を挿通し保持して刈払機用回転刃Ｎを形成する。該保持部材の外径は極めて小さく、アルミニュウム・鉄・樹脂等を鋳造又は削成して、動力式刈払機用小径ナイロンコードカッターを構成する。【選択図】図７
0003162553.tif 000002
【実用新案登録請求の範囲】
【請求項１】
刈払機（図７）のギヤケース（Ｍ）にボルトまたはナット（図６Ｈ）によって装着される手動挿脱式ナイロンコードカッター（Ｎ）であって、回転刃本体の外径は極めて小さく、アルミニウム、鉄、樹脂等を鋳造または削成する事により成形される、またナイロンコード（図８Ｐ）はナイロンコード自体の応力によりナイロンコード通し孔（φａ１・φａ２・φａ３・φａ４）に保持される、以上のことを特徴とする動力式刈払機用回転刃。
【考案の詳細な説明】
【技術分野】
【０００１】  本考案は、公園・街路・庭園等において、植え込み内や景石と景石間等の極めて狭い箇所の、雑草や芝生等を刈り取る際に使用する、動力式刈払機用ナイロンコードカッターに関するものである。
【背景技術】
【０００２】  従来から雑草等を刈り取る手段として、動力式刈払機が多く使用されている。【０００３】  動力式刈払機は、図７に示すように、動力源（Ｉ）により生じた回転動力を、遠心クラッチ（Ｊ）→操作棹（Ｌ）に内接する駆動軸→ギヤケース（Ｍ）と伝動し、ギヤケース（Ｍ）に逆ネジ六角ナット（Ｈ）により取り付けられた、回転刃（Ｎ）を回転させるものである。【０００４】  また、使用方法としては、肩掛けバンドをフック（Ｏ）に掛け、フック（Ｏ）を中心として、操作棹（Ｌ）を左右に振りながら、回転刃（Ｎ）の回転数を操作ハンドル（Ｋ）に取り付けられたスロットルレバーにより制御しながら雑草等の刈り取り作業を行うものである。【０００５】  動力式刈払機の回転刃としては、鋼鉄製刃・プラスチック製刃・チップソー・ナイロンコードなどが一般的である。（特許文献１）（特許文献２）（特許文献３）
【先行技術文献】
【特許文献】
【特許文献１】実用新案公開平７−３０６１４広報
【特許文献２】特公開平１１−２３５１１３広報
【特許文献３】特公開平１０−２３４２１６広報
【考案の概要】
【考案が解決しようとする課題】
【０００６】  しかしながら、従来の鋼鉄製刃・プラスチック製刃・チップソー等は外径も大きく（１６０ｍｍ〜３０５ｍｍ程度）植え込み内の雑草を刈り取るには適さず、植木に接触または切断して植木を傷つける可能性が大きい。【０００８】    また、自動繰り出し式および手動挿脱式ナイロンコードカッターにおいては、植木等を傷つけることは少ないが、自動繰り出し式は内部構造が複雑なため小型なものはなく、手動逸脱式でも小型なものは考案されていない（外径１００ｍｍ以上）。【０００９】  更に、上記により刈り残しが多く発生し、その箇所は人力により刈り取らなければならなかった。【００１０】  本考案は、以上に述べた従来の回転刃の外径が大きく狭い箇所に不適であり、植木等を傷つける可能性が大きく、刈り残しが多く発生するという欠点を克服することが可能な刈払機用回転刃を提供する。
【課題を解決するための手段】
【００１１】  本考案は、上記課題の検討を重ねた結果、金属刃およびプラスチック刃は植木等を傷つけるため小径化を試みても課題は解決できない、また自動繰り出し式ナイロンコードカッターにおいても内部構造が複雑なため小径化は不可能である、そのため構造の簡単な手動挿脱式ナイロンコードカッターを選択し、小径化を実現し所期の目的を達成した。
【考案の効果】
【００１２】  本考案である、刈払機用小径ナイロンコードカッターを使用して、雑草等の刈り取り作業をする事により植木等に致命的な傷をつける事も無くなり、植木等への安全性を確保できた、また刈り残しも少なくなり人力による刈り取りも減少でき、作業員の労力の低減を図ることができる。
【図面の簡単な説明】
【００１３】
【図１】  請求項１に係る本考案の部品図
【図２】  動力式刈払機のギヤケース部分の側面図
【図３】  図２の矢印Ｄ方向から見た動力式刈払機のギヤケース部分の正面図
【図４】  請求項１に係る本考案の見取図
【図５】  動力式刈払機に本考案を装着した側面図
【図６】  図５の矢印Ｆ方向で本考案を９０度回転させた正面図
【図７】  動力式刈払機の側面図
【図８】  市販のロールナイロンコードを切断した図
【考案を実施するための形態】
【００１４】  以下、動力式刈払機用小径ナイロンコードカッターの構成及び実施の形態について、図面を参照して説明する。
【００１５】  図１、図４に示す本考案である、動力式刈払機用小径ナイロンコードカッターの材質には、アルミニウム・鉄・樹脂等があげられ、形成方法としては鋳造や削成が考えられる。また、ナイロンコードは、市販のロールナイロンコードを切断（図８Ｐ）して使用する。
【００１６】  図１，図２，図３，図６を参照して刈払機への装着方法を説明する、まず図１（Ａ）面と図２（Ｃ）面を対峙させ回転刃位置決め穴（φｃ）を回転刃位置決めボス（φｄ）に嵌入し、図６の逆ネジ六角ナット（Ｈ）で締付固着する。
【００１７】  図６（Ｈ）は逆ネジナットとしているが、ボルトであるかナットであるかは、刈払機のメーカーや機種によって違ってくる、また、ナット又はボルトの頭の寸法は、１７ｍｍや１３ｍｍのものがよく使用されている。
【００１８】  本考案の動力式刈払機用小径ナイロンコードカッターを刈払機に装着するさいは、本考案の外径（φｂ）が小さいため、頭の寸法が１７ｍｍのナット等で締付固着した場合ナイロンコード通し孔（φａ１・φａ２・φａ３・φａ４）と近接する、よって、ナイロンコードを手動で挿脱する際の作業性が悪い。そのため、頭の寸法が１３ｍｍのものに交換する必要がある。
【００１９】  次に図５，図６は本考案である動力式刈払機用小径ナイロンコードカッターの実施形態を示している。その内容は、ナイロンコード図８（Ｐ）を２本用意し図８（Ｑ）（Ｒ）のように折り曲げ、図６逆ネジ６角ナット（Ｈ）の方向から図８ナイロンコード（Ｑ）のナイロンコード端（Ｑ１）を図１ナイロンコード通し孔（φａ１）へ挿通する、同様に（Ｑ２）を（φａ２）へ、ナイロンコード（Ｒ）も（Ｒ１）を（φａ３）へ、（Ｒ２）を（φａ４）へ挿通する。以上によって請求項１に係る動力式刈払機用小径ナイロンコードカッターが形成される。
【実施例】
【００２０】  図５，図６、図７は本考案である動力式刈払機用小径ナイロンコードカッターの実施例を示したものである。【００２１】  図５，図６はギヤケース（Ｍ）に装着された、本考案である動力式刈払機用小径ナイロンコードカッターにナイロンコード（Ｑ）（Ｒ）が挿通された状態を表している。ナイロンコード（Ｑ）（Ｒ）は折り曲げることによる応力で保持されている。【００２２】  図７は本考案である動力式刈払機用小径ナイロンコードカッターを刈り払い機に装着した状態を表している、使用方法は従来と同じく、肩掛けバンドをフック（Ｏ）に掛け、フック（Ｏ）を中心として、操作棹（Ｌ）を左右に振りながら、回転刃（Ｎ）の回転数を操作ハンドル（Ｋ）に取り付けられたスロットルレバーにより制御しながら雑草等の刈り取り作業を行うものである。【００２３】  しかし、植え込みや景石と景石間等の極めて狭い箇所の作業も、本考案である動力式刈払機用小径ナイロンコードカッターの外径を小さくする事で可能となり刈り残しも減少した、また、ナイロンコードを使用しているする事により植木等への致命的な傷をつける事も無くなった。
【符号の説明】
【００２４】Ａ  引き出し線に対して直角の面      φａ１  ナイロンコード通し孔
Ｂ  引き出し線に対して直角の面      φａ２  ナイロンコード通し孔
Ｃ  引き出し線に対して直角の面      φａ３  ナイロンコード通し孔
Ｄ  矢視方向                        φａ４  ナイロンコード通し孔
Ｅ  逆ネジボルト                    φｂ    本考案の外径
Ｆ  矢視方向                        φｃ    回転刃位置決め凹穴
Ｇ  ナイロンコード                  φｄ    回転刃位置決めボス
Ｈ  逆ネジ六角ナット                Ｐ      切断したナイロンコード
Ｉ  動力源                          Ｐ１    ナイロンコードの長さ
Ｊ  遠心クラッチ                    Ｑ      ナイロンコードを折曲した図
Ｋ  操作ハンドル                    Ｑ１    ナイロンコード端
Ｌ  操作棹                          Ｑ２    ナイロンコード端
Ｍ  ギヤケース                      Ｒ      ナイロンコードを折曲した図
Ｎ  回転刃                          Ｒ１    ナイロンコード端
Ｏ  フック                          Ｒ２    ナイロンコード端
【図１】
0003162553.tif 000003
【図２】
0003162553.tif 000004
【図３】
0003162553.tif 000005
【図４】
0003162553.tif 000006
【図５】
0003162553.tif 000007
【図６】
0003162553.tif 000008
【図７】
0003162553.tif 000009
【図８】
0003162553.tif 000010
【手続補正書】
【提出日】平成22年7月4日(2010.7.4)
【手続補正１】
【補正対象書類名】実用新案登録請求の範囲
【補正対象項目名】全文
【補正方法】変更
【補正の内容】
【実用新案登録請求の範囲】
【請求項１】
刈払機のギヤケース部分に取り付けられて動力により回転させられる保持部材と、保持部材に設けられた２カ所で１８０度方向にあるナイロンコード通し孔に、折曲させたナイロンコード状切断部材を挿通し保持される刈払機用回転刃であって、保持部材の外径は極めて小さく、アルミニュウム・鉄・樹脂等を鋳造又は削成する事により成形される、以上のことを特徴とする動力式刈払機用小径ナイロンコードカッター。